【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
三次元（３Ｄ）プリンタであって、
中間転写ベルト（ＩＴＢ）と、
第１の材料を前記ＩＴＢに転写する第１の感光体と、
第２の材料を前記ＩＴＢに転写する第２の感光体であって、前記第１の材料が光開始剤を含み、前記第２の材料が前記光開始剤を含まないことを除いて前記第１の材料は前記第２の材料と同じである、第２の感光体と、
前記ＩＴＢに対して移動して、前記ＩＴＢと第１の位置で接触するプラテンであって、前記ＩＴＢは、前記プラテンが前記第１の位置で前記ＩＴＢと接触するたびに、前記第１の材料および前記第２の材料の連続層を前記プラテンに転写する、プラテンと、
前記プラテンを加熱し、前記プラテンと隣接する前記ＩＴＢの一部を、前記第１の材料および前記第２の材料のガラス転移温度に加熱した後、前記プラテンが前記ＩＴＢと接触する第１のヒータと、
前記ＩＴＢが前記第１の材料および前記第２の材料を前記プラテンに転写し、前記第１の材料および前記第２の材料を前記プラテン上の先に転写された材料に定着させた後に、前記プラテン上の前記第１の材料および前記第２の材料を、前記第１の材料および前記第２の材料のガラス転移温度と溶融温度との間の温度にさらに加熱する、第２の位置にある第２のヒータであって、前記ＩＴＢが前記プラテンと接触する前記第１の位置は、前記第１のヒータと前記第２のヒータとの間にある、第２のヒータと、
前記プラテンが前記ＩＴＢと毎回接触した後に前記プラテン上の前記第１の材料および前記第２の材料を露光し、前記第１の材料のポリマーを架橋し、前記第２の材料のポリマーは架橋しない光であり、架橋されている前記第１の材料の前記ポリマーおよび架橋されていない前記第２の材料の前記ポリマーが、前記第２の材料を、前記第１の材料に対して異なる溶媒中に選択的に可溶性にする、第３の位置にある光であって、前記第２のヒータは、前記光と、前記ＩＴＢが前記プラテンと接触する前記第１の場所との間にある、光と、
を含む三次元（３Ｄ）プリンタ。
【請求項２】
前記プラテンが、前記光が前記第１の材料および前記第２の材料を露光する前に、前記ＩＴＢから前記光に移動する、請求項１に記載の３Ｄプリンタ。
【請求項３】
前記第１の材料および前記第２の材料が、前記光開始剤を使用して架橋する紫外線（ＵＶ）架橋性ポリマートナーを含む、請求項１に記載の３Ｄプリンタ。
【請求項４】
前記第１の材料を前記第１の感光体に転写し、前記第２の材料を前記第２の感光体に転写する露光および現像デバイスをさらに含む、請求項１に記載の３Ｄプリンタ。
【請求項５】
前記ＩＴＢが、前記第１の材料および前記第２の材料の連続層を前記プラテンに転写して、前記プラテン上に３Ｄ対象物を構築する、請求項１に記載の３Ｄプリンタ。
【請求項６】
三次元（３Ｄ）プリンタであって、
中間転写ベルト（ＩＴＢ）と、
第１の材料を前記ＩＴＢに転写する第１の感光体と、
第２の材料を前記ＩＴＢに転写する第２の感光体であって、前記第１の材料が光開始剤を含み、前記第２の材料が前記光開始剤を含まないことを除いて前記第１の材料は前記第２の材料と同じである、第２の感光体と、
前記ＩＴＢに対して移動して、前記ＩＴＢと第１の位置で接触するプラテンであって、前記ＩＴＢは、前記プラテンが前記第１の位置で前記ＩＴＢと接触するたびに、前記第１の材料および前記第２の材料の連続層を前記プラテンに転写する、プラテンと、
前記プラテンを加熱し、前記プラテンと隣接する前記ＩＴＢの一部を、前記第１の材料および前記第２の材料のガラス転移温度に加熱した後、前記プラテンが前記ＩＴＢと接触する第１のヒータと、
前記ＩＴＢが前記第１の材料および前記第２の材料を前記プラテンに転写し、前記第１の材料および前記第２の材料を前記プラテン上の先に転写された材料に定着させた後に、前記プラテン上の前記第１の材料および前記第２の材料を、前記第１の材料および前記第２の材料のガラス転移温度と溶融温度との間の別の温度にさらに加熱する、前記第１の位置と異なる第２の位置にある第２のヒータであって、前記ＩＴＢが前記プラテンと接触する前記第１の位置は、前記第１のヒータと前記第２のヒータとの間にある、第２のヒータと、
前記プラテンが前記ＩＴＢと毎回接触した後に前記プラテン上の前記第１の材料および前記第２の材料を露光し、前記第１の材料および前記第２の材料が前記第２のヒータによって前記別の温度に加熱されて、前記第１の材料のポリマーを架橋し、前記第２の材料のポリマーは架橋しない光であり、架橋されている前記第１の材料の前記ポリマーおよび架橋されていない前記第２の材料の前記ポリマーが、前記第２の材料を、前記第１の材料に対して異なる溶媒中に選択的に可溶性にする、第３の位置にある光であって、前記第２のヒータは、前記光と、前記ＩＴＢが前記プラテンと接触する前記第１の場所との間にある、光と、
を含む三次元（３Ｄ）プリンタ。
【請求項７】
前記プラテンが、前記光が前記第１の材料および前記第２の材料を露光する前に、前記ＩＴＢから前記光に移動する、請求項６に記載の３Ｄプリンタ。
【請求項８】
前記第１の材料および前記第２の材料が、前記光開始剤を使用して架橋する紫外線（ＵＶ）架橋性ポリマートナーを含む、請求項６に記載の３Ｄプリンタ。
【請求項９】
前記第１の材料を前記第１の感光体に転写し、前記第２の材料を前記第２の感光体に転写する露光および現像デバイスをさらに含む、請求項６に記載の３Ｄプリンタ。
【請求項１０】
前記ＩＴＢが、前記第１の材料および前記第２の材料の連続層を前記プラテンに転写して、前記プラテン上に３Ｄ対象物を構築する、請求項６に記載の３Ｄプリンタ。
【請求項１１】
三次元（３Ｄ）プリンタであって、
中間転写ベルト（ＩＴＢ）と、
ビルド材料を前記ＩＴＢに転写する第１の感光体と、
支持体材料を前記ＩＴＢに転写する第２の感光体であって、前記ビルド材料が光開始剤を含み、前記支持体材料が前記光開始剤を含まないことを除いて前記ビルド材料は前記支持体材料と同じである、第２の感光体と、
前記ＩＴＢに対して移動して、前記ＩＴＢと第１の位置で接触するプラテンであって、前記ＩＴＢは、前記プラテンが前記第１の位置で前記ＩＴＢと接触するたびに、前記ビルド材料および前記支持体材料の両方を含む連続層を前記プラテンに転写する、プラテンと、
前記プラテンを加熱し、前記プラテンと隣接する前記ＩＴＢの一部を、前記ビルド材料および前記支持体材料のガラス転移温度に加熱した後、前記プラテンが前記ＩＴＢと接触する第１のヒータと、
前記ＩＴＢが前記ビルド材料および前記支持体材料を前記プラテンに転写し、前記ビルド材料および前記支持体材料を前記プラテン上の先に転写された材料に定着させた後に、前記プラテン上の前記ビルド材料および前記支持体材料を、前記ビルド材料および前記支持体材料のガラス転移温度と溶融温度との間の別の温度にさらに加熱する、前記第１の位置と異なる第２の位置にある第２のヒータであって、前記ＩＴＢが前記プラテンと接触する前記第１の位置は、前記第１のヒータと前記第２のヒータとの間にある、第２のヒータと、
前記プラテンが前記ＩＴＢと毎回接触した後に前記プラテン上の前記ビルド材料および前記支持体材料を露光し、前記ビルド材料および前記支持体材料が前記第２のヒータによって前記別の温度に加熱されて、前記ビルド材料のポリマーを架橋し、前記支持体材料のポリマーは架橋しない光であり、架橋されている前記ビルド材料の前記ポリマーおよび架橋されていない前記支持体材料の前記ポリマーが、前記支持体材料を、前記ビルド材料に対して異なる溶媒中に選択的に可溶性にする、第３の位置にある光であって、前記第２のヒータは、前記光と、前記ＩＴＢが前記プラテンと接触する前記第１の場所との間にある、光と、
を含む三次元（３Ｄ）プリンタ。
【請求項１２】
前記プラテンが、前記光が前記ビルド材料および前記支持体材料を露光する前に、前記ＩＴＢから前記光に移動する、請求項１１に記載の３Ｄプリンタ。
【請求項１３】
前記ビルド材料および前記支持体材料が、前記光開始剤を使用して架橋する紫外線（ＵＶ）架橋性ポリマートナーを含む、請求項１１に記載の３Ｄプリンタ。
【請求項１４】
前記ビルド材料を前記第１の感光体に転写し、前記支持体材料を前記第２の感光体に転写する露光および現像デバイスをさらに含む、請求項１１に記載の３Ｄプリンタ。
【請求項１５】
前記ＩＴＢが、前記ビルド材料および前記支持体材料の連続層を前記プラテンに転写して、前記プラテン上に３Ｄ対象物を構築する、請求項１１に記載の３Ｄプリンタ。
【請求項１６】
三次元（３Ｄ）プリンタであって、
中間転写ベルト（ＩＴＢ）と、
第１の材料および第２の材料を前記ＩＴＢに転写する少なくとも１つの感光体であって、前記第１の材料が光開始剤を含み、前記第２の材料が前記光開始剤を含まないことを除いて前記第１の材料は前記第２の材料と同じである、感光体と、
前記ＩＴＢに対して移動して、前記ＩＴＢと第１の位置で接触するプラテンであって、前記ＩＴＢは、前記プラテンが前記第１の位置で前記ＩＴＢと接触するたびに、前記第１の材料および前記第２の材料の連続層を前記プラテンに転写する、プラテンと、
前記ＩＴＢが前記第１の材料および前記第２の材料を前記プラテンに転写した後、前記プラテン上の前記第１の材料および前記第２の材料を、前記第１の材料および前記第２の材料のガラス転移温度と溶融温度との間の温度に加熱する、第２の位置にあるヒータと、
前記プラテンが前記ＩＴＢと毎回接触した後に前記プラテン上の前記第１の材料および前記第２の材料を露光し、前記第１の材料のポリマーを架橋し、前記第２の材料のポリマーは架橋しない光であって、前記第２のヒータは、前記光と、前記ＩＴＢが前記プラテンと接触する前記第１の場所との間にある、第３の位置にある光と、
を含む三次元（３Ｄ）プリンタ。
【請求項１７】
前記プラテンが、前記光が前記第１の材料および前記第２の材料を露光する前に、前記ＩＴＢから前記光に移動する、請求項１６に記載の３Ｄプリンタ。
【請求項１８】
前記第１の材料および前記第２の材料が、前記光開始剤を使用して架橋する紫外線（ＵＶ）架橋性ポリマートナーを含む、請求項１６に記載の３Ｄプリンタ。
【請求項１９】
前記第１の材料を前記第１の感光体に転写し、前記第２の材料を前記第２の感光体に転写する露光および現像デバイスをさらに含む、請求項１６に記載の３Ｄプリンタ。
【請求項２０】
前記ＩＴＢが、前記第１の材料および前記第２の材料の連続層を前記プラテンに転写して、前記プラテン上に３Ｄ対象物を構築する、請求項１６に記載の３Ｄプリンタ。